(57)【要約】      （修正有）【課題】ハウジングおよび当該ハウジングに取り付けられた発光部を道路に対して水平位置または適切な位置に位置決めすることができるように調節可能なハウジングを有する改善された街灯を提供する。【解決手段】ＬＥＤ街灯は、発光部を収容するハウジング１２と、ハウジング１２の一端に取り付けられた第１のカップラ２０と、連結機構によって複数の連結位置のうちの１つにおいて第１のカップラに連結される第２のカップラ３０と、第１のカップラ２０またはハウジング１２に設けられ、当該ハウジングが水平位置にあるかどうかを視覚的に示す水準器５０とを具備する。【選択図】図２
0003176532.tif 000002
【実用新案登録請求の範囲】
【請求項１】
（ａ）発光部を収容するためのハウジングと、
（ｂ）前記ハウジングの一端に取り付けられた第１のカップラと、
（ｃ）連結機構によって複数の連結位置のうちの１つにおいて前記第１のカップラに連結される第２のカップラと、
（ｄ）前記第１のカップラまたは前記ハウジングに設けられ、当該ハウジングが水平位置にあるかどうかを視覚的に示す水準器と
を具備する照明装置。
【請求項２】
請求項１に記載の照明装置であって、
前記連結機構は、
前記第１のカップラおよび前記第２のカップラのうちの一方の凹面に形成された第１の複数の歯部と、
前記第１のカップラおよび前記第２のカップラのうちの他方の凸面に形成され、異なる複数の歯部噛合位置において前記第１の複数の歯部と連結可能である第２の複数の歯部とを有すること
を特徴とする照明装置。
【請求項３】
請求項２に記載の照明装置であって、
前記歯部噛合位置の１つから隣接した歯部噛合位置へ前記ハウジングを調節することによって、当該ハウジングおよび前記第１のカップラが前記第２のカップラに対して所定の角度回転することを特徴とする照明装置。
【請求項４】
請求項３に記載の照明装置であって、
前記所定の角度は２度であることを特徴とする照明装置。
【請求項５】
請求項１に記載の照明装置であって、
前記第１のカップラは、−１０度〜＋１０度の範囲の角度で前記第２のカップラに連結されることを特徴とする照明装置。
【請求項６】
請求項１に記載の照明装置であって、
前記第１のカップラおよび前記第２のカップラを共に締結するための少なくとも１本のねじボルトをさらに具備することを特徴とする照明装置。
【請求項７】
請求項１に記載の照明装置であって、
前記第１のカップラおよび前記第２のカップラのうちの一方の両端に固定される一対の保護板と、
露出した頭部が前記一対の保護板にそれぞれ形成されたスロット内に保持されるように、前記第１のカップラおよび前記第２のカップラのうちの他方の両端に螺入される一対のピンねじと
をさらに具備することを特徴とする照明装置。
【請求項８】
請求項７に記載の照明装置であって、
前記一対の保護板はステンレス鋼製であることを特徴とする照明装置。
【請求項９】
請求項１に記載の照明装置であって、
前記第１のカップラおよび前記第２のカップラの一方に設けられた複数の角度目盛りと、
前記第１のカップラおよび前記第２のカップラの他方に設けられ前記複数の角度目盛りのうちの１つを指し示すポインタと
をさらに具備することを特徴とする照明装置。
【請求項１０】
請求項９に記載の照明装置であって、
前記複数の角度目盛りは、前記第１のカップラおよび前記第２のカップラのうち一方の一端に固定される板にスクリーン印刷されることを特徴とする照明装置。
【請求項１１】
請求項１に記載の照明装置であって、
前記水準器は、前記第１のカップラの上面部に設けられることを特徴とする照明装置。
【請求項１２】
請求項１に記載の照明装置であって、
前記第２のカップラには、電線を通すためのワイヤチューブが設けられることを特徴とする照明装置。
【請求項１３】
請求項１に記載の照明装置であって、
前記発光部は、発光ダイオードアレイを有することを特徴とする照明装置。
【請求項１４】
請求項１に記載の照明装置であって、
前記第２のカップラは、街灯柱の上部に取り付けられることを特徴とする照明装置。
【請求項１５】
請求項１に記載の照明装置を具備する街灯。
【考案の詳細な説明】
【技術分野】
【０００１】
本考案は、照明装置に関し、特に、高さ及び角度を調節可能な発光ダイオード（ＬＥＤ）街灯に関する。
【背景技術】
【０００２】
従来の街灯には、角度調節機構が一切設けられていない。これらの従来の街灯の街灯柱が道路に沿って立設されている場合、街灯のハウジングおよび当該ハウジングに取り付けられた発光部は、道路に対して水平位置または適切な位置に位置決めされない場合がある。したがって、ハウジング内の発光部からの光は、道路に沿って意図した有効照明領域が形成されるように下方に出射されない場合がある。光が下方に出射されない場合、この光が当該道路を走るドライバーにまぶしく映って悪影響を及ぼしてしまうという安全上の問題が生じる。また、光が下方に出射されないことで、当該道路の近隣の住宅地に光害が発生する。
【考案の概要】
【考案が解決しようとする課題】
【０００３】
したがって、ハウジングおよび当該ハウジングに取り付けられた発光部を道路に対して水平位置または適切な位置に位置決めすることができるように調節可能なハウジングを有する改善された街灯を製造する必要がある。
【課題を解決するための手段】
【０００４】
本考案の第１の態様によれば、発光部を収容するためのハウジングと、上記ハウジングの一端に取り付けられた第１のカップラと、連結機構によって複数の連結位置のうちの１つにおいて上記第１のカップラに連結される第２のカップラと、上記第１のカップラまたは上記ハウジングに設けられ、当該ハウジングが水平位置にあるかどうかを視覚的に示す水準器とを具備する照明装置が提供される。上記水準器は、上記第１のカップラの上面部に設けられてもよい。上記発光部は、発光ダイオードアレイを有してもよい。
【０００５】
上記連結機構は、上記第１のカップラおよび上記第２のカップラのうちの一方の凹面に形成された第１の複数の歯部と、上記第１のカップラおよび上記第２のカップラのうちの他方の凸面に形成され、複数の異なる歯部噛合位置において上記第１の複数の歯部と連結可能である第２の複数の歯部とを有してもよい。上記歯部噛合位置の１つから隣接した歯部噛合位置へ上記ハウジングを調節することによって、当該ハウジングおよび上記第１のカップラが上記第２のカップラに対して所定の角度回転する。上記所定の角度は２度である。上記第１のカップラは、−１０度〜＋１０度の範囲の角度で上記第２のカップラに連結されてもよい。
【０００６】
照明装置は、上記第１のカップラおよび上記第２のカップラを共に締結するための少なくとも１本のねじボルトをさらに具備してもよい。上記照明装置は、上記第１のカップラおよび上記第２のカップラのうちの一方の両端に固定される一対の保護板と、上記第１のカップラおよび上記第２のカップラのうちの他方の両端に螺入される一対のピンねじとをさらに具備してもよい。ピンねじの露出した頭部は、一対の保護板にそれぞれ形成されたスロット内に保持される。上記一対の保護板はステンレス鋼製であってもよい。
【０００７】
上記照明装置は、上記第１のカップラおよび上記第２のカップラの一方に設けられた複数の角度目盛りと、上記第１のカップラおよび上記第２のカップラの他方に設けられ上記複数の角度目盛りの１つを指し示すポインタとをさらに具備してもよい。上記複数の角度目盛りは、上記第１のカップラおよび上記第２のカップラの一方の一端に固定される板にスクリーン印刷されてもよい。
【０００８】
上記第２のカップラには、電線を通すためのワイヤチューブが設けられてもよい。上記照明装置は、街灯として街灯柱の上部に取り付けられてもよい。
【図面の簡単な説明】
【０００９】
【図１】本考案の一実施形態に係るＬＥＤ街灯の高さ・角度調節アセンブリの斜視図である。
【図２】図１のＬＥＤ街灯の高さ・角度調節アセンブリの分解図である。
【図３】図１のＬＥＤ街灯の高さ・角度調節アセンブリの他の分解図である。
【図４】本考案の一実施形態に係る第２のカップラ部材の斜視図である。
【図５】本考案の一実施形態に係る第１のカップラ部材の斜視図である。
【図６】様々な角度のＬＥＤ街灯を示す図である。
【図７】ＬＥＤ街灯の上面図である。
【図８】本考案の一実施形態に係るＬＥＤ街灯の水準器を示す、図７の拡大図である。
【図９】本考案の一実施形態に係るＬＥＤ街灯の保護板の拡大図である。
【考案を実施するための形態】
【００１０】
本考案の具体的な実施形態を添付の図面を参照しながら例示として説明する。
【００１１】
図１〜３は、本考案の一実施形態に係る発光ダイオード（ＬＥＤ）照明装置１０の高さ・角度調節アセンブリの各種図を示す。本明細書では、照明装置１０を街灯として説明するが、照明装置１０の高さ・角度調節アセンブリは、照明が必要とされる高速道路、駐車場、遊技場、庭、裏庭、および任意の他の野外環境、さらには、屋内環境のための照明装置（これらの例に限定されないが）を含む他の様々な照明装置に組み込むことができることを理解されたい。
【００１２】
照明装置１０は、発光部を収容するためのハウジング１２を有する。発光部は、発光ダイオードアレイの形態としてもよい。発光部が生成する光は、照明装置１０の底面側から下方に出射される。ハウジング１２は、概ね矩形形状としてもよく、または、任意の他の適切な形状としてもよい。ハウジング１２は、高さ・角度調節アセンブリが取り付けられる端部１４を有する。
【００１３】
照明装置１０の高さ・角度調節アセンブリは、ハウジング１２の端部１４に取り付けられる第１のカップラ２０と、連結機構によって第１のカップラ２０に連結される第２のカップラ３０とを有する。図示の実施形態によれば、連結機構は、第１のカップラ２０の凹面に形成された第１の複数の歯部２２と、第２のカップラ３０の凸面に形成された第２の複数の歯部３２とを有する。これは、図４および図５に最も良く示されている。
【００１４】
第１のカップラ２０の第１の複数の歯部２２は、手動調節によって異なる複数の噛合位置で第２のカップラ３０の第２の複数の歯部３２と噛合することができる。調節後、第２のカップラ３０の孔３４および第１のカップラ２０の孔２４に一対のねじボルト４０を挿入して締めることによって、選択された歯部噛合位置に第１のカップラ２０および第２のカップラ３０を共に締結することができる。図示するように、孔３４は、第２のカップラ３０をどのような角度で第１のカップラ２０に連結する場合であってもねじボルト４０が挿入可能であるように、細長形状を有する。
【００１５】
ある歯部噛合位置から隣接する歯部噛合位置へ第１のカップラ２０をハウジング１２と共に調節することによって、ハウジング１２および当該ハウジング１２に取り付けられた発光部が、第２のカップラ３０に対して所定の角度に回転する。例えば、所定の角度は２度に設定してもよい。図示の実施形態によれば、図６に示すように、第１のカップラ２０は、−１０度〜＋１０度の範囲の角度で第２のカップラ３０に連結することができる。
【００１６】
図示および説明では、第１のカップラ２０と第２のカップラ３０との連結は、第１のカップラ２０に形成された２つの噛合歯部２２と、第２のカップラ３０に形成された２つの噛合歯部３２とによって行っているが、当業者であれば、第１のカップラ２０と第２のカップラ３０との連結は、他のあり得る方法で実現可能であることが理解されるであろう。例えば、第１のカップラ２０および第２のカップラ３０の一方を歯部として形成し、他方を単に単一の突出部として形成することによっても、相手方のカップラの歯部に連結することが可能である。
【００１７】
しかし、図示の実施形態に示されるように、第１のカップラ２０および第２のカップラ３０にそれぞれ形成された噛合歯部２２および３２によって、第１のカップラ２０および第２のカップラ３０の連結を強固にし、第１のカップラ２０と第２のカップラ３０とが分離する可能性を低減することができることが当業者には理解されるであろう。ハウジング１２および当該ハウジング１２に取り付けられる発光部は重いため、第１のカップラ２０および第２のカップラ３０のそれぞれに２つずつ歯部２２および３２を設けることで、ハウジング１２、当該ハウジング１２に取り付けられた発光部、および第１のカップラ２０が第２のカップラ３０から分離して脱落することを防止することができる。
【００１８】
図示および説明では、第１の複数の歯部２２が第１のカップラ２０の凹面に形成され、第２の複数の歯部３２が第２のカップラ３０の凸面に形成されているが、代替的に、第１の複数の歯部２２を第２のカップラ３０の凹面に、第２の複数の歯部３２を第１のカップラ２０の凸面に形成可能であることが想定される。
【００１９】
図７および図８に示すように、照明装置１０は、第１のカップラ２０に水準器５０をさらに有する。水準器５０は、ハウジング１２が水平位置にあるかどうかを視覚的に示すのに用いられる。図示の実施形態によれば、水準器５０は、第１のカップラ２０の上面部に配置される。ユーザは、第１のカップラ２０に形成された開口５２を通して水準器５０を見ることができる。なお、図示および説明では、水準器５０を第１のカップラ２０に設けているが、当該水準器５０をハウジング１２の上面に設けてもよい。発光部の発熱が水準器５０に影響または損傷を与えることがないように、水準器５０とハウジング１２との間に間隔を空けるか、これらを断熱する必要があり得る。
【００２０】
図１〜図３および図９に示すように、照明装置１０は、一対の保護板６０をさらに有してもよい。当該一対の保護板６０は、複数のねじ６２によって第２のカップラ３０の両端にそれぞれ固定される。この２枚の保護板６０はそれぞれ、第２のカップラ３０の両端から第１のカップラ２０の両端へ延びる。２枚の保護板６０は、第１のカップラ２０および第２のカップラ３０のそれぞれの両端全体を実質的に覆う。各保護板６０には、第１のカップラ２０の各端上に延びると共にわずかに湾曲した形状を有するスロット６４が形成されている。保護板６０は、ステンレス鋼製としてもよく、または任意の他の適した材料から形成してもよい。２本のピンねじ６６を、その露出した頭部が保護板６０の２つのスロット６４内に保持されるように、第１のカップラ２０の両端にそれぞれ取り付けることができる。これは、図９に最も良く示されている。
【００２１】
照明装置１０は、ポインタ７０と、複数の角度目盛り７２とをさらに有してもよい。当該複数の角度目盛り７２は、第２のカップラ３０に対するハウジング１２および第１のカップラ２０の角度を示すために、第１のカップラ２０および第２のカップラ３０に設けられる。図示の実施形態によれば、複数の角度目盛り７２は第２のカップラ３０に固定された保護板６０にスクリーン印刷され、ポインタ７０は第１のカップラ２０に設けられる。
【００２２】
２枚の保護板６０および２本のピンねじ６６によって、２本のねじボルト４０が弛んで第１のカップラ２０と第２のカップラ３０とが分離した場合にも、ハウジング１２および当該ハウジング１２に取り付けられた発光部が脱落することをさらに防止することができる。これは、第１のカップラ２０が第２のカップラ３０から分離した場合であっても、２本のピンねじ６６の各頭部が各スロット６４の下端に引っかかって保持されるためである。ハウジング１２は発光部および第１のカップラ２０と共に第２のカップラ３０から弛んだ状態でぶら下がるかも知れないが、突然脱落することはない。
【００２３】
本考案の照明装置１０の位置・角度調節アセンブリは、街灯に組み込むことができる。照明装置１０は、街灯柱の上部に取り付けてもよい。第２のカップラ３０に、電線８２を通すためのワイヤチューブ８０を設けてもよい。
【００２４】
照明装置１０を設置する場合、ユーザはまず、２本のねじボルト４０を反時計周りに３、４回回して弛め、第１のカップラ２０と第２のカップラ３０とを分離する。続いて、ユーザは、ハウジング１２を保持し、ハウジング１２が水準器５０が示す水平位置に位置するまで、第１のカップラ２０の第１の複数の歯部２２と第２のカップラ３０の第２の複数の歯部３２とを噛合することで第１のカップラ２０および第２のカップラ３０の連結を調節する。次いで、ユーザは、２本のねじボルト４０を第１のカップラ２０および第２のカップラ３０内に締め戻すことによって、第１のカップラ２０および第２のカップラ３０の連結を強固にする。
【００２５】
ハウジング１２が水平位置に位置決めされると、ハウジングに取り付けられた発光部から出射される光が下方に向かい、意図した、道路上の有効照明領域が形成される。ハウジング１２および当該ハウジング１２に取り付けられた発光部の位置を道路や周囲の環境の状態に応じて調節することができる。ハウジング１２および当該ハウジング１２に取り付けられた発光部を、簡単かつ迅速に、道路に対して水平位置または任意の所望の角度に調節することができる。これによって、道路に沿って均一な有効照明領域を確保することができる。本考案のＬＥＤ街灯を用いることで、エネルギーを節約することもできるため、環境に優しい。
【００２６】
本考案の複数の好適な実施形態を詳しく参照して図示および説明したが、本考案の実用新案登録請求の範囲から逸脱しない限り、各種の変更や修正が可能であることに留意されたい。
【図１】
0003176532.tif 000003
【図２】
0003176532.tif 000004
【図３】
0003176532.tif 000005
【図４】
0003176532.tif 000006
【図５】
0003176532.tif 000007
【図６】
0003176532.tif 000008
【図７】
0003176532.tif 000009
【図８】
0003176532.tif 000010
【図９】
0003176532.tif 000011